(57)【要約】      （修正有）【課題】鳥害防止に有効なゴミステーション用のカバーシートを提供する。【解決手段】柔軟性と撥水性を有するとともに不透明なシート本体１を設け、シート本体の外周に複数個のウエイト３を各々適宜間隔を有して設けたことを特徴とする。【選択図】図２
0003202214.tif 000002
【実用新案登録請求の範囲】
【請求項１】
柔軟性と撥水性を有するとともに不透明なるシート本体を設け、該シート本体の外周に複数個のウエイトを各々適宜間隔を有して設けたことを特徴とするゴミステーション用カバーシート。
【請求項２】
シート本体に、このシート本体を既設の地上固定物につなぎ止めるための係留体を設けてなる請求項１記載のゴミステーション用カバーシート。
【請求項３】
ウエイトをシート本体に等間隔に設け、シート本体の外周近傍適所に係留体の一端を取付け、該係留体の前記取付部近傍に、係留体の他端を着脱可能に保持するための係留体保持部を設けてなる請求項２記載のゴミステーション用カバーシート。
【考案の詳細な説明】
【技術分野】
【０００１】  この考案は、ゴミステーション囲いの上面にかぶせて用いる、ゴミステーション用のカバーシートに関する。
【背景技術】
【０００２】  従来より、ゴミステーション囲いの上面にかぶせて用いるネットはあったが、本案にて示すように、不透明撥水性シートの周囲にウエイトを設けたものは見当たらない。
【考案の概要】
【考案が解決しようとする課題】
【０００３】  ゴミステーションは、生活に必須の屋外設備として多用されている。これには種々の形式があるが、最近では箱設置型と簡易型とに大別されるものが多く用いられている。
箱設置型は、開閉可能な蓋部を有し、この蓋を開けてゴミ袋を箱に投入するタイプのものであり、簡易型は、ゴミ袋が投入可能な折り畳み型の側壁を設けて、この側壁の上にネットをかぶせるタイプである。しかし、この簡易型タイプの場合は鳥害の問題が起きやすい。つまりカラスの問題である。側壁上部にネットをかぶせるのであるが、このかぶせ形が不十分であると、例えば側壁とネットとの間に隙間があると、カラスがこの隙間にくちばしを突っ込んで中のゴミ袋を突き破り、中身を散乱させるのである。
これは、人的面もあるが他に風が強い日などでも，かぶせたネットが移動しあるいはめくれ上がるなどして，同様の問題が生ずる。さらに、ネットでは視覚的にゴミステーション内のゴミ袋の視認ができて、カラスにもその収容状態がわかってしまうのである。
以上のような問題に対し現在では有効かつ適切なる手段が見当たらないのが現状である。本案は以上に鑑み、簡易な手段にて既述の課題を解決するために発案されたものである。
【課題を解決するための手段】
【０００４】  課題を解決する手段として本案は以下の構成とした。
すなわち、柔軟性と撥水性を有するとともに不透明なるシート本体を設け、該シート本体の外周に複数個のウエイトを各々適宜間隔を有して設ける。
本案は以上の構成よりなるゴミステーション用カバーシートである。
【考案の効果】
【０００５】  本案は、下記の効果を有する。
１．シート本体は撥水性かつ不透明のため、ゴミステーション内に雨滴等が入らず、また、収容ゴミ袋の視認がシート外からは不能であるため、鳥害防止に有効である。
２．シート本体周囲にウエイトが設けられているので、シートのめくれ等が起きず、収容ゴミ袋の保護および鳥害の防止ができる。
３．係留体を設けることにて、このシートを既設の地上固定物に係留することで、シートの盗難を防ぎ、また、風等によるシートの移動脱落を防ぐことができる。
４．柔軟性を有するシートを主体とした構成なので、不使用時にはコンパクトに折り畳むことができる。
【図面の簡単な説明】
【０００６】
【図１】  本考案の表面図
【図２】  本考案の裏面図
【図３】  本考案の要部構造説明図
【図４】  本考案の要部構造説明図
【図５】  本考案の要部構造説明図
【図６】  本考案の使用状態図
【考案を実施するための最良の形態】
【０００７】  以下、本考案の実施形態について説明する。
図において、１はシート本体で、柔軟性と撥水性および不透明性を有する略方形所定サイズの合成樹脂シートであり、その外周には適宜巾の補強部２が形成される。
この補強部は、シート本体と同様であるとともにやや厚手の合成樹脂シートであり、シート本体を表裏にはさむように設けられる。
３は環状のウエイトである。このウエイトは図３にて示すように、横長の金属製環状体であり、また、図２にて示すように、一枚のシート本体の外周に７個がシート本体の一辺を除きほぼ等間隔にシート本体裏面に固定配置される。このウエイトは、以下のごとくシート本体に設けられる。
シート本体の外周には孔が穿設され、この孔に市販のハトメ４が取り付けられる。
このハトメの両面にワッシャ５をあてがい、シート本体裏面に位置するウエイト固定用ボルト６と、シート本体表面に位置して該ボルトに螺合するウエイト固定用ナット７にてシート本体を締め付け固定するが、このボルトの頭部面に前記の環状のウエイト側面適所が溶接固着される。
８は，市販の金属チェーンによる係留体である。この係留体は図２のようにシート本体上部に、前記のボルトとナット同様に設けられる係留体固定用ボルト９にて、このボルトとワッシャとの間に押圧挟持されてシート本体裏面に締め付け固定される。
１１は係留体保持部で、前記に示した係留体固定用のボルトと同一構成であって、ボルトとナットを用いてシート本体に設けられる。
以上が、本案の一実施形態である。【０００８】  次に、本案の使用について説明する。
本案の使用に際しては、準備としてまず、係留体を電柱その他の既設地上固定物に回し、係留体端を係留体保持部のボルトにて締め込み固定する。次に、ゴミステーションの側壁を広げて、その上に本案のシート本体をかぶせて覆う。側壁としては、例えば複数の木製長方形板体をひもで接続したもの、所定巾と高さを有する格子状の合成樹脂体を連続帯状に形成したものなどが用いられる。
シート本体をかぶせるとき、シート本体の裏面を内側として用いる。この状態において、シート下方には側壁で隔離された空間が位置して、シート本体を持ち上げてゴミ袋を投入することができる。シート本体周囲には既述のごとくウエイトが位置し、このウエイトは使用時においてシート下方に位置するために、風等によるめくれは防止されて、かぶせた状態を保ち、また側壁に対して十分なる広さと大きさを有するシートサイズとすることにて、投入ゴミを隔離保護することができる。
このシート本体は柔軟性を有して側壁形状に沿って位置するとともに、撥水性を有して、雨水から投入ゴミを守ることができる。さらに不透明性のため、カラスなどに対する投入ゴミの視認を不能とすることができる。なお、ゴミ収集車側では、このシート本体を側壁から外して従来通りに収集作業を行うことができる。【０００９】  以上、本案について記したが、本案は既述のようにゴミステーションへの投入ゴミ袋を覆って鳥害を防止し、また雨水等に対しても保護可能な特徴を有するものである。
従来方法は既述のように、ゴミステーションに着色した粗めのネットをかぶせて用いている。このネットにはウエイトがないために、かぶせたネットの端が広げたゴミステーション側壁を覆うのに十分でなかったり、風で移動したりして、鳥害に対する防止が不十分であったのである。また、ゴミ袋に対する雨水からの保護はなされない。
しかるに本案ではまずシート本体外周にウエイトを設けたために、必然的にこのウエイトは覆ったゴミステーション側壁外方に垂下するので、投入ゴミに対する鳥からの保護ができるのである。つまり、カラス等がこのゴミステーション内の投入ゴミ袋に接するには、このウエイトの重量に逆らってシート本体を持ち上げねばならず、カラスの力ではこれは不能である。また、シート本体は不透明かつ撥水性を有するので、カラスからの内容物視認を防止し、また雨水等からも保護されるのである。【００１０】  既例においては、シート本体外周に補強部を設け、この補強部にハトメを介してボルトとナットを取付け、ボルト頭部に環状のウエイトを設けた構成としたので、使用時におけるシート耐久性を有するものとなっている。ウエイトおよび係留体については、本例では市販の金属チェーンを用いたが、他の形状と材質のウエイトとし、ロープ等による係留体を用いてもよい。なお、ウエイト固定用ボルト端は、ナット螺着後にハンマー等にて打ってねじ山をつぶすことにて、人為的にナットを外すことが防止される。
本案のシート本体は柔軟性を有するので、不使用時には適宜に折り畳んでコンパクトに収納保管が可能である。なお、ウエイトは側壁前方両端の２箇所には各２個用いてその重量を増加してもよい。また、既述の例は実施の一例であって近似の他の構成としてもよい。
以上のごとく、本案によって天候や鳥害から投入ゴミ袋を保護することのできる有用なる、ゴミステーション用のカバーシートを得ることができる。
【符号の説明】
【００１１】  １  シート本体
２  補強部
３  ウエイト
４  ハトメ
５  ワッシャ
６  ウエイト固定用ボルト
７  ウエイト固定用ナット
８  係留体
９  係留体固定ボルト
１０  係留体固定ナット
１１  係留体保持部
２０  電柱
【図１】
0003202214.tif 000003
【図２】
0003202214.tif 000004
【図３】
0003202214.tif 000005
【図４】
0003202214.tif 000006
【図５】
0003202214.tif 000007
【図６】
0003202214.tif 000008